(57)【要約】      （修正有）【課題】遊泳者がプール水中で溺れる事故を、プール監視員が見落とすのを防ぐ、プール監視員支援システムを提供する。【解決手段】遊泳者の腕に装着したリストバンド１１に密封したアクティブ型ＩＣタグを利用することにより、遊泳者の動きを個別に管理するものであり、プール監視員が見落としても、アクティブ型ＩＣタグから発信される電波の強度が、水中から発信される場合と空中から発信される場合とでは異なることを利用して、溺れ掛け状態を確実に検出し、警報表示盤６のランプ６１点灯やブザー６３鳴動ならびにプール監視員への通報手段３１を通じて状況確認を早期に促す。【選択図】図１
2016126735.tif 000002
【特許請求の範囲】
【請求項１】
遊泳者の腕に装着したリストバンドに密封したアクティブ型ＩＣタグとリーダは無線アンテナを介して無線接続され、リーダはハブを介してプール監視室に設置された中央監視装置とＬＡＮ接続され、更に中央監視装置からは無線ＬＡＮルータおよび警報表示盤がハブを介してＬＡＮ接続されるシステムであって、
プールは一定の区画（ゾーン）に分けられ、各ゾーンはリーダ・アンテナの設置位置と関係付けられ、遊泳者がプール水中内の同一ゾーンに滞留する時間を検出する手段と、
前記検出手段で検出した時間が一定時間を越えた場合に溺れ掛け可能性と見做す手段と、
前記溺れ掛け可能性を検出した場合に警報発報を行い警報表示盤に表示すると共にプール監視員に通知する通知手段と、
アクティブ型ＩＣタグの使用中の電池切れを予防するための電池残量確認手段と
を備えることを特徴とするプール監視員支援システム。
【請求項２】
遊泳者の腕に装着したリストバンドに密封したアクティブ型ＩＣタグから発信される電波の強度が、水中から発信される場合と空中から発信される場合とでは異なることを利用して、遊泳者が水中にいるか否かを判定することを特徴とする請求項１記載のプール監視員支援システム。
【請求項３】
遊泳者の腕に装着したリストバンドに密封したアクティブ型ＩＣタグから発信される電波の強度が、水中から発信される時の強度と空中から発信される時の強度が交互に繰り返される場合は、遊泳者は泳いでいる最中または手の上下運動を行っていると見做して、溺れ掛状態では無いと判定することを特徴とする請求項１記載のプール監視員支援システム。
【請求項４】
遊泳者の腕に装着したリストバンドに密封したアクティブ型ＩＣタグから発信される電波の強度が、空中から発信される時の強度から水中から発信される時の強度に連続して移行している時は、遊泳者が水中に移動したと見做して溺れ監視対象として扱うことを特徴とする請求項１記載のプール監視員支援システム。
【請求項５】
遊泳者の腕に装着したリストバンドに密封したアクティブ型ＩＣタグから発信される電波の強度が、水中から発信される時の強度から空中から発信される時の強度に連続して移行している時は、遊泳者がプールから上がって移動したと見做して溺れ監視対象から除外することを特徴とする請求項１記載のプール監視員支援システム。
【請求項６】
遊泳者の腕に装着したリストバンドに密封したアクティブ型ＩＣタグから発信される電波の強度が水中から発信される場合であってかつ他のゾーンへの移動が認められない場合或いは突然電波が途絶えた場合は、遊泳者が溺れ掛けの可能性があると見做すことを特徴とする請求項１記載のプール監視員支援システム。
【請求項７】
遊泳者が溺れ掛けの可能性があると見做された場合は、警報発報を行うことを特徴とする請求項６記載のプール監視員支援システム。
【請求項８】
警報発報時は、警報表示盤に表示を行うと同時にプール監視員への通報を行うことを特徴とする請求項７記載のプール監視員支援システム。
【請求項９】
プール監視員への通報は、モバイル端末或いは振動型ＩＣタグ等で行うことを特徴とする請求項８記載のプール監視員支援システム。
【請求項１０】
警報発報時に、プール監視員がプール内の状況確認が終わり警報表示盤に表示されている内容を解除する時は、中央監視装置の表示画面の警報確認ボタンを押下して行うことを特徴とする請求項１記載のプール監視員支援システム。
【請求項１１】
中央監視装置の表示画面にて、全てのアクティブ型ＩＣタグ装着者の水中からの発信電波強度がリアルタイムに表示されるので、遊泳者個々人の動きがリアルタイムに監視できることを特徴とする請求項１記載のプール監視員支援システム。
【請求項１２】
アクティブ型ＩＣタグの電池残量を管理するために中央監視装置のＩＣタグ状況表示画面にて状態を表示し、使用中に電池切れになることを防止することができるように配慮したことを特徴とする請求項１記載のプール監視員支援システム。
【請求項１３】
アクティブ型ＩＣタグの電池残量の確認を、該ＩＣタグの未使用中に特定のリーダ・アンテナで該ＩＣタグの発信電波を空中で受信し、受信電波の強度レベルで判定すること特徴とする請求項１２記載のプール監視員支援システム。
【発明の詳細な説明】
【技術分野】
【０００１】  本発明は、遊泳者の腕に装着したリストバンドに密封したアクティブ型ＩＣタグを利用し、ＩＣタグから発信される無線電波をリーダが受信して、ＩＣタグのデータをリーダの内部メモリに格納し、リーダとハブを介してＬＡＮケーブルで接続された中央監視装置が指定された周期で当該リーダの格納したデータを取込んで遊泳者の動きを個別に管理するプール監視員支援システムに関する。
【背景技術】
【０００２】  図５は、リストバンドに密封したアクティブ型ＩＣタグを腕に装着して、アクティブ型ＩＣタグから発信される無線電波をリーダ・アンテナが受信してＩＣタグのデータをリーダが受け取る概要を示す図である。ＩＣタグのデータにはユニークなタグＩＤが含まれているので、ＩＣタグ装着者の動きを個別に管理することが可能となる。当該アクティブ型ＩＣタグは、貴重品などに装着して個体管理用にごく一般的に使用されているものである。
【先行技術文献】
【特許文献】
【０００３】  特になし
【発明の概要】
【発明が解決しようとしている課題】
【０００４】  図２２は、従来のプール監視例を示す図である。プール監視員がプールサイドからプール内の遊泳者の状態について目視で監視を行っている。遊泳者の数が少ない時は、溺れ等の異常状態に早めに気が付き易いが、数が多くなって混み合ってくると水中に沈んで溺れ掛けている遊泳者の発見を見落とし、人命に係わる事故に繋がる場合が多々発生している。このような、事故を未然に防ぐために、監視カメラの映像で監視する方法も考案されてはいるが、カメラ映像を人間の目視による観察のため多勢の遊泳者が泳いで混み合っている場合は遊泳者の映像が重なったり、或いは水の揺れや光の屈折の関係で映像を正確に把握できないという問題点が発生していた。また、更には映像監視を嫌う人の心理的な負担に対する問題点も存在した。
本発明は、このような事情に鑑みてなされたものであって、本発明の目的は、遊泳者個々人の腕に装着したリストバンドに密封したアクティブ型ＩＣタグを利用することにより、遊泳者の動きを個別に管理するものであり、たとえプール監視員が見落としても、溺れ掛け状態を確実に検出し警報表示盤のランプ点灯やブザー鳴動ならびに監視員への通報手段を通じて監視員に早期状況確認を促し、事故に繋がるのを未然に防ぐことを目指すものである。更に、カメラによる映像監視を嫌う人への対策をも兼ね備えるものである。
【課題を解決するための手段】
【０００５】  本発明においては、次のようにして上記課題を解決する。
（１）遊泳者の腕に装着したリストバンドに密封したアクティブ型ＩＣタグを利用し、ＩＣタグから発信される無線電波をリーダ・アンテナが受信して、ＩＣタグ・データを取込みリーダ本体のメモリに格納する。
（２）上記リーダにＬＡＮケーブルで接続された中央監視装置が、リーダ内のメモリに格納されたタグ・データを一定の周期で取込んで中央監視装置の内部メモリテーブルに格納する。
（３）上記中央監視装置は、取込んだデータの編集・加工処理を行い、ＩＣタグ毎の状態を画面表示する。
（４）上記中央監視装置は、ＩＣタグから発信される電波強度によって遊泳者がプールの水中内にいるかプール外にいるかの判定を電波強度判定テーブルを基に行う。
（５）上記中央監視装置は、プール水中内にいる遊泳者が同一ゾーンでの滞留時間が規定時間を越えているか否かの判定を滞留時間判定テーブルを基に行う。
（６）上記中央監視装置は、プール水中内にいる遊泳者が同一ゾーンでの滞留時間が規定時間を越えていると判定した場合は、溺れ掛け状態の可能性があると見做して警報発報を行い、警報表示盤への当該ゾーンランプ点灯、パトライト点灯、ブザー鳴動ならびにプール監視員への警報通報を行う。
（７）警報通報を受けたプール監視員は、警報表示盤のゾーンランプを確認し、プールの当該ゾーンの状況確認を早期に行い適切な対応が行えるので、見落としによる溺れ事故等を未然に防ぐことが可能である。
【発明の効果】
【０００６】  本発明においては、以下の効果が期待できる。
（１）プール遊泳者の腕にアクティブ型ＩＣタグを装着しＩＣタグのＩＤ信号をリーダ・アンテナで受信し中央監視装置で管理することによって、遊泳者個々人の動きが全て把握できるので、プール監視員の見落としによる溺れ等の事故を未然に防ぐことができ、遊泳者および関係者への安心感に繋がる。
（２）ＩＣタグのＩＤ信号は映像を伴わないので、カメラによる映像監視を嫌う人でも安心してプールの利用ができる。
（３）遊泳者個々人の動きが漏れなく確実に把握できるので、プール監視員への心理的な負担も軽減され、更なる監視サービスの質の向上が期待できる。
（４）遊泳者個々人の動きが漏れなく確実に把握できるので、プール監視員の人数を最小必要限に抑えることができ、人件費の削減および管理費の削減にも繋がる。
（５）遊泳者および関係者への安心感が高まることにより、利用者数の増加が期待でき、売上げ増加にも繋がる。
【図面の簡単な説明】
【０００７】
【図１】実施例のプール監視員支援システムを示す概念図である。
【図２】実施例の遊泳者一人の場合のアクティブＩＣタグによる追跡を示す図である。
【図３】実施例の遊泳者多数の場合のアクティブＩＣタグによる追跡を示す図である。
【図４】実施例のプールサイドでの休憩している場合の電波送受信を示す図である。
【図５】実施例のアクティブ型ＩＣタグとリーダとの無線接続を示す図である。
【図６】実施例の溺れ掛け時の水中滞留状態を示す図である。
【図７】実施例の警報発報時の警報表示盤を示す図である。
【図８】実施例の中央監視装置の常時監視画面表示を示す図である。
【図９】実施例の警報発報履歴の表示を示す図である。
【図１０】実施例のアクティブ型ＩＣタグ状況一覧表示を示す図である。
【図１１】実施例の電池残量確認画面を示す図である。
【図１２】実施例のリーダ稼働状況一覧表示を示す図である。
【図１３】実施例の電波強度判定テーブルを示す図である。
【図１４】実施例の滞留時間判定テーブルを示す図である。
【図１５】実施例の内部テーブルＡを示す図である。
【図１６】実施例の内部テーブルＢを示す図である。
【図１７】実施例の内部テーブルＣを示す図である。
【図１８】実施例のプール監視員支援システムのプログラム構造図である。
【図１９】実施例のＩＣタグのデータ読込及び編集処理ブロック図である。
【図２０】実施例のゾーン滞留時間計算及び警報処理ブロック図である。
【図２１】実施例のアクティブ型ＩＣタグの電池残量確認の処理ブロック図である。
【図２２】従来のプール監視例を示す図である。
【発明を実施するための形態】
【０００８】  図１は、本発明の実施例のプール監視員支援システムの概念図である。
本発明のプール監視員支援システムは、遊泳者の腕１に装着したリストバンド１１に密封したアクティブ型ＩＣタグとリーダ・アンテナ２２が無線接続され、リーダ２はハブ４を介して中央監視装置５に接続され、中央監視装置５は更にハブ４を介して接続された警報表示盤６および無線ＬＡＮルータ８を備える。
【０００９】  中央監視装置５は、遊泳者のリストバンド１１に密封されたアクティブ型ＩＣタグから送信されるデータをリーダ２から一定の周期で受信して、受信データにタイムスタンプを付して内部テーブルに格納し編集を行ったのち監視画面表示（後述）を行う。
【００１０】  中央監視装置５は、遊泳者が溺れ掛け状態と判定（判定方法は後述）した場合は、警報表示盤６への警報表示６１、６２、６３およびプール監視員３への警報通報を行う。警報通報は、無線ＬＡＮルータ８を経由してモバイル端末３１，３２で行う。警報通報を受けたプール監視員は警報表示盤６のゾーンランプ６１を確認し、当該ゾーンの観察を行う。
【００１１】  図２は、実施例の一人の遊泳者の場合に、腕に装着したリストバンドに密封されたアクティブＩＣタグ１１１から発信される電波と、その電波を受信するリーダ２１、２２、２３、２４およびリーダ・アンテナ２１１、２１２、２２１，２２２、２３１、２３２、２４１、２４２の受信電波強度の推移状態を表わした図である。リーダ・アンテナ２１２、２２１、２２２は夫々ゾーン１、２、３と対応しているので遊泳者がどの方向に移動しているかが把握できる。プール監視員３１、３２はプールサイドからプール内の遊泳者を監視している。警報発報時は、モバイル端末３１１、３２１に警報通報がなされる。
【００１２】  図３は、実施例の複数の遊泳者の場合に、腕に装着したリストバンドに密封されたアクティブＩＣタグ１１１、１１２、１２１、１２２、１４１、１４２、１４３から発信される電波と、その電波を受信するリーダ２１、２２、２３およびリーダ・アンテナ２１１、２１２、２２１、２３１、２３２の受信電波強度を表わした図である。リーダ・アンテナ２１１、２１２、２２１、２３１、２３２は夫々ゾーン１、２、４，５と対応しているので受信電波強度によって遊泳者がどのゾーンに滞留しているかが把握できる。プール監視員３１、３２はプールサイドからプール内の遊泳者を監視している。警報発報時は、モバイル端末３１１、３２１に警報通報がなされる。
【００１３】  図４は、実施例の遊泳者１１、１２がプールサイドで休憩している図である。腕に装着したリストバンドに密封されたアクティブＩＣタグ１１１、１２１から発信される電波と、その電波を受信するリーダ２およびリーダ・アンテナ２１の受信電波強度が水中から発信される強度より強いのでプール外にいる（判定方法は後述）ことが分かる図である。
【００１４】  図５は、実施例のアクティブ型ＩＣタグ９がリストバンド１１に密封されて無線電波を発信し、リーダ２とリーダ・アンテナ２１を介して無線接続されている状態を示している図である。リーダ２は更に、ハブ４を介して中央監視装置へ接続される。
【００１５】  図６は、遊泳者１が、腕に装着したリストバンドに密封されたアクティブ型ＩＣタグ１１から発信される電波と、その電波をリーダ・アンテナ２１を通して受信するリーダ２のデータから、同一ゾーンに規定時間以上滞留して溺れ掛けの可能性がある（判定方法は後述）と見做されている図である。
【００１６】  図７は、ハブ４を介して中央監視装置と接続される警報表示盤６の構成を示す図であり、異常発生ゾーンを示すゾーンランプ６１およびパトライト６２、ブザー６３から構成される。
【００１７】  図８は、実施例の中央監視装置の常時監視画面を示す図である。設置されている全てのリーダから取込んだデータにタイムスタンプを付して内部テーブルに格納し編集した上で、タグＩＤ順に表示される。各項目は以下の通りである。
▲１▼  ＩＣタグから送信されたＩＤ
▲２▼  中央監視装置側で受信時に付したタイムスタンプ
▲３▼  リーダ・アンテナＮｏ：ＸＸ−ＮのＸＸはリーダＮｏ、Ｎはリーダに接続されるアンテナＮｏ（１又は２）
▲４▼  受信電波の強度レベル
▲５▼  ▲２▼と同様
▲６▼  ▲３▼と同様
▲７▼  ▲４▼と同様
※▲２▼〜▲４▼は最新時刻のデータ、▲５▼〜▲７▼は１世代前のデータ
▲８▼  ▲２▼の受信時刻現在での同一ゾーンに於ける滞留時間
▲９▼  ▲２▼の受信時刻現在での居場所（プール内、プール外）
▲１０▼  「正常」、「異常」（溺れ掛け状態の場合）、「受信なし」、「電池×」
▲１１▼  「常時監視画面」への切り替えボタン（本画面ではグレー表示）
▲１２▼  「警報履歴画面」への切り替えボタン
▲１３▼  「ＩＣタグ状況一覧画面」への切り替えボタン
▲１４▼  「リーダ稼働状況一覧画面」への切り替えボタン
▲１５▼  プール監視員のモバイル端末へメッセージを送信するボタン
（メッセージは予め登録しておく：本出願書では割愛）
▲１６▼  警報発報時に状況確認および対応が終った時に警報表示盤をリセットするときに使用するボタン
▲１７▼  「プール監視員支援システム」を終了するときのボタン
【００１８】  図９は、実施例の過去の警報履歴を表示する画面である。時系列、タグＩＤ順に表示される。各項目は以下の通りである。
▲１▼  警報発報日時
▲２▼  ＩＣタグから送信されたＩＤ
▲３▼  リーダ・アンテナＮｏ：ＸＸ−ＮのＸＸはリーダＮｏ、Ｎはリーダに接続されるアンテナＮｏ（１又は２）⇒ゾーンと対応
▲４▼  受信電波の強度レベル
▲５▼  警報発報時のゾーン滞留時間
▲６▼  「常時監視画面」への切り替えボタン
▲７▼  一画面に収まらない場合の前頁への切替えボタン
▲８▼  一画面に収まらない場合の次頁への切替えボタン
【００１９】  図１０は、実施例のＩＣタグの状況一覧を示す図である。タグＩＤ順に表示される。各項目は以下の通りである。
▲１▼  ＩＣタグから送信されたＩＤ
▲２▼  中央監視装置側で受信時に付したタイムスタンプ
▲３▼  リーダ・アンテナＮｏ：ＸＸ−ＮのＸＸはリーダＮｏ、Ｎはリーダに接続されるアンテナＮｏ（１又は２）
▲４▼  受信電波の強度レベル
▲５▼  ▲２▼と同様
▲６▼  ▲３▼と同様
▲７▼  ▲４▼と同様
※▲２▼〜▲４▼は最新時刻のデータ、▲５▼〜▲７▼は１世代前のデータ
▲８▼  ▲２▼の受信時刻現在での同一ゾーンに於ける滞留時間
▲９▼  ▲２▼の受信時刻現在での居場所（プール内、プール外）
▲１０▼  「正常」、「異常」（溺れ掛け状態の場合）、「受信なし」、「電池×」
▲１１▼  「常時監視画面」への切り替えボタン（本画面ではグレー表示）
▲１２▼  アクティブ型ＩＣタグの電池残量確認を行う場合に使用するボタン：未使用中に該ＩＣタグの発信する電波を空中で特定のリーダ・アンテナで受信して電波強度判定テーブルを基に確認を行う。該ＩＣタグ行（画面例では▲１５▼）をクリックしてから該ボタンを押すと「電池残量確認画面」が表示されと同時に確認処理が行われ、判定結果が表示される
▲１３▼  一画面に収まらない場合の前頁への切替えボタン
▲１４▼  一画面に収まらない場合の次頁への切替えボタンン
【００２０】  図１１は、電池残量確認画面を示す図である。図１０で電池残量確認タグＩＤ行をクリックした後▲１２▼の「電池残量確認」ボタンを押すと当該画面が表示され、指定のアクティブ型ＩＣタグから発信する無線電波を特定のリーダ・アンテナで受信し、測定を５回行い、受信電波強度の最小値、最大値、平均値を計算し電波強度判定テーブルを基に判定を行う。各項目は以下の通りである。
（イ）ＩＣタグＩＤ（図１１の例では、▲１５▼のタグＩＤ）
（ロ）受信電波強度の最小値
（ハ）受信電波強度の最大値
（ニ）５回測定した値の平均値
（ホ）電池残量下限閾値（電波強度判定テーブルより表示）
（ヘ）該ＩＣタグの電波強度測定結果の判定内容
▲１５▼  再測定を行う場合のボタン
▲１６▼  測定結果の確認を終了し元画面１０に戻る時のボタン
【００２１】  図１２は、リーダ稼動状況一覧を示す図である。リーダ順に現在無線接続されているタグＩＤを表示するので、各ゾーンに存在する遊泳者の数が把握できる。各項目は以下の通りである。
（ト）リーダＮｏ
（チ）リーダに接続されているアンテナＮｏ（１又は２）
（リ）ＩＣタグから受信した無線電波強度レベル
（ヌ）現在該アンテナが受信しているＩＣタグＩＤ：実際は同一アンテナのゾーンに複数ＩＤが存在する。
（ル）中央監視装置側で受信時に付したタイムスタンプ
（ヲ）該タグＩＤの受信時刻までのゾーン滞留時間
（ワ）該タグＩＤの居場所（プール内、プール外）
（カ）「正常」、「異常」（溺れ掛け状態の場合）、「受信なし」、「電池×」
（ヨ）「常時監視画面」への切り替えボタン
【００２２】  図１３は、実施例のアクティブ型ＩＣタグからの受信電波の強度レベルを判定するためのテーブルの図である。リーダ・アンテナの設置場所によって周囲環境からのノイズ等の影響が異なるのでリーダ・アンテナ毎に閾値を設定する。閾値設定は、事前の現場調査で電波強度を測定して行う。該テーブルは、テキストエディターで編集し“．ｉｎｉ”ファイルに格納する。各項目は以下の通りである。
９０１  リーダＮｏ
９０２  リーダに接続されるアンテナＮ．（１又は２）
９０３  アンテナと対応したゾーンＮｏ
９０４  水中電波強度：空中よりも電波が減衰する
９０４１  下限⇒この値未満はノイズレベルと見做して、データを読み飛ばす
９０４２  上限⇒この値超過はプール外と見做す
９０５  空中電波強度
９０５１  下限⇒この値未満は水中と見做す
９０５２  上限⇒この値超過はノイズと見做す
９０６  ノイズ電波強度
９０６１  以下⇒この値以下はノイズと見做して、データを破棄する
９０６２  以上⇒この値以上はノイズと見做して、データを破棄する
９０７  電池残量：「下限」の値以下の場合は、残量低下と見做して電池交換を促す
９０８  更新日時：テーブル値を書き換えた日時
９０９  現場によって電波環境が異なるので導入場所の識別コード
【００２３】  図１４は、実施例のアクティブ型ＩＣタグ装着者が泳いでいるゾーンの滞留時間を判定するためのテーブルの図である。基本的には、全てのゾーンに同じ値を適用するが、水流の強いプールではゾーン毎に滞留時間が異なる。各項目は以下の通りである。
９１１  プール区画（ゾーン）Ｎｏ：リーダ・アンテナＮｏに対応する：０は全てのゾーンに同一値を適用する時に使用
９１２  溺れ掛け状態の可能性ありと判定する場合の上限値（秒）
９１３  テーブル値を更新したときの日時（ｙｙｙｙｍｍｄｄ  ＨＨＭＭＳＳ）
９１４  現場によってプール環境が異なるので導入場所の識別コード
９１５  メモ欄
【００２４】  図１５は、実施例の中央監視装置がリーダから一定の周期で取得したデータを一次的に格納する内部テーブルＡの図である。リーダ・アンテナＮｏ順にタイムスタンプ（受信日時）を付して格納する。従って、タグＮｏ順には並んでいない。各項目は以下の通りである。
９５１  リーダＮｏ
９５２  アンテナＮｏ：ゾーンＮｏに対応する
９５３  タグＮｏ
９５４  データ取得時のタイムスタンプ（ｙｙｙｙｍｍｄｄ  ＨＨＭＭＤＤ）
９５５  受信電波強度
９５６  編集処理用に読込まれたか否かを表わすフラグ：全てＯＮ（’１’）の場合は読込終了を意味する
【００２５】  図１６は、実施例の前項の内部テーブルＡに格納されたデータ（タグＩＤは順不同に格納）をタグＩＤ順、ゾーンＮｏ順、受信日時順に並べ替えて格納する内部テーブルＢの図である。各項目は以下の通りである。
９６１  リーダＮｏ
９６２  アンテナＮｏ：ゾーンＮｏに対応する
９６３  ゾーンＮｏ
９６４  タグＮｏ
９６５  データ取得時のタイムスタンプ（ｙｙｙｙｍｍｄｄ  ＨＨＭＭＤＤ）
９６６  受信電波強度
９６７  編集処理用に読込まれたか否かを表わすフラグ：全てＯＮ（’１’）の場合は読込終了を意味する
【００２６】  図１７は、実施例の前項の内部テーブルＢに格納されたデータ（タグＩＤ順、ゾーンＮｏ順、受信日時順に格納）を「電波強度判定テーブル」、「滞留時間判定テーブル」、を基に各種処理や編集を行った後に格納する内部テーブルＣの図である。
各項目は以下の通りである。
９７１  タグＮｏ
９７２  データ取得時のタイムスタンプ（ｙｙｙｙｍｍｄｄ  ＨＨＭＭＤＤ）
９７３  ゾーンＮｏ
９７４  受信電波強度
※９７２〜９７４は、今回取得した最新データ
９７５  データ取得時のタイムスタンプ（ｙｙｙｙｍｍｄｄ  ＨＨＭＭＤＤ）
９７６  ゾーンＮｏ
９７７  受信電波強度
※９７５〜９７７は、前世代のデータ
９７８  同一ゾーン滞留時間：前世代と現世代の比較により滞留時間を計算
９７９  プール内かプール外かのフラグ：受信電波強度テーブルにより判定
９７１０  「正常」、「異常」（溺れ掛け状態の場合）、「受信なし」、「電池×」
【００２７】  図１８は、実施例のプール監視員支援システムのプログラム構造を示す図である。
プログラムブロック構造で構成されており、１「初期化処理」、２「データ処理」、３「画面処理」、４「終了処理」のブロックがあり、２と３は非同期に走行する。
【００２８】  図１９は、実施例の「データ処理」モジュール内の「リーダから読込処理」及び「編集処理」ブロックの処理内容を示す図であり、タイマイベントから１０００ｍｓ毎（起動周期は可変設定可能）に起動され、全てのリーダから１０００ｍｓ毎にデータを読取ってタイムスタンプを付して内部テーブルＡに一旦格納した後、タグＮｏ順、ゾーンＮｏ順、受信時刻順に並べ替えて編集を行い内部テーブルＢに格納するまでの処理を示すフローである。各処理ステップは以下の通りである。
＜リーダから読込処理＞
Ｓ０１  テーブルＡのリーダＮｏの初期化
Ｓ０２  該リーダＮｏに接続されるアンテナＮｏ１のデータを全て読込む。読込んだデータの受信電波強度がノイズ以上または以下のデータだったら読捨てて、ノイズデータでないと判定した場合に内部テーブルＢに格納する
Ｓ０３  該リーダＮｏに接続されるアンテナＮｏ２のデータを全て読込む。読込んだデータの受信電波強度がノイズ以上または以下のデータだったら読捨てて、ノイズデータでないと判定した場合に内部テーブルＢに格納する。
Ｓ０４  リーダＮｏをインクリメントする
Ｓ０５  未処理のリーダＮｏが存在する場合はＳ０２〜Ｓ０３を繰り返し、全てリーダの処理が終了した時点で「リーダから読込処理」を終了し、「編集処理」に移行する
＜編集処理＞
Ｓ１０  タグＮｏの初期化
Ｓ１１  テーブルＡのデータを頭から読込んで同一タグＮｏ順、ゾーンＮｏ順、受信日時順にテーブルＢに格納して行き、テーブルＡの読取完了データに完了フラグを立てる
Ｓ１２  タグＮｏをインクレメントする
Ｓ１３  テーブルＡに未処理データが存在する場合はＳ１１〜Ｓ１２の処理を繰り返し、読取完了した場合は次ステップへ移行する
Ｓ１４  次回読込処理用にテーブルＡの初期化を行い、「編集処理」を終了する
【００２９】  図２０は、実施例の「データ処理」モジュール内の「滞留時間計算処理」及び「警報処理」ブロックの処理内容を示す図であり、タイマイベントから１００００ｍｓ毎（起動周期は可変設定可能）に起動され、テーブルＢに整理されたデータを読取って、同一ゾーン滞留時間計算および警報処理を示すフローである。各処理ステップは以下の通りである。
＜滞留時間計算処理＞
Ｓ３１  テーブルＢのタグＮｏ初期化
Ｓ３２  テーブルＢから同一タグＮｏ、同一ゾーンのデータを受信時刻順に取出す
Ｓ３３  読込んだデータに同一ゾーンデータが複数存在するか否かのチェックを行う
Ｓ３４  複数存在する場合は、最旧と最新のデータから時間差を計算する
Ｓ３５  前回と同一ゾーンかのチェックを行う
Ｓ３６  前回と同じ場合は、前回の滞留時間に今回の値を加算する
Ｓ３７  前回と異なる場合は、新規のゾーン滞留時間として設定する
Ｓ３８  テーブルＣに、ゾーン滞留時間の更新を行うと同時に受信履歴のシフトを行う
Ｓ３９  更新したゾーン滞留時間を「滞留時間判定テーブル」を参照し、滞留時間超過の判定を行う
Ｓ４０  滞留時間超過の場合は、テーブルＣの状態に異常フラグを設定する
Ｓ４１  滞留時間超過でない場合は、テーブルＣの状態に正常フラグを設定する
Ｓ４２  テーブルＢのタグＮｏをインクリメントする
Ｓ４３  テーブルＢに未処理データがある場合はＳ３２〜Ｓ４２の処理を繰り返し、全て処理完了の場合は「滞留時間計算処理」を終了し、「警報処理」に移行する
＜警報処理＞
Ｓ５１  テーブルＣのタグＮｏの初期化
Ｓ５２  テーブルＣのデータを頭から読込んで、状態フラグのチェックを行う
Ｓ５３〜Ｓ５７  状態フラグが異常の場合は、「警報盤のゾーン表示ランプ点灯」、「警報盤のパトライト点灯」、「警報盤のブザー鳴動」、「監視員への通報」処理を行う
Ｓ５８  タグＮｏをインクリメントする
Ｓ５９  テーブルＣに未処理データが続く時はＳ５２〜Ｓ５８を繰り返し、全て完了した時は「警報処理」を終了する
【００３０】  図２１は、実施例の「データ処理」モジュール内の「電池残量確認処理」ブロック処理内容を示す図であり、「ＩＣタグ状況一覧画面」から起動され、指定したアクティブ型ＩＣタグが空中で発信する無線電波を特定のリーダが受信して受信電波強度レベルから電池残量を判定する処理を示すフローである。各処理ステップは以下の通りである。
Ｓ６１  特定のリーダ・アンテナを指定する
Ｓ６２  該リーダ・アンテナが、指定したアクティブ型ＩＣタグが空中で発信する電波を５回受信し最小・最大・平均値を求め、「電波強度判定テーブル」の「電池残量・以下」の閾値と比較し下記の判定を行う
▲１▼  最小値が閾値より大の場合は残量ＯＫと見做す
▲２▼  最大値が閾値以下の場合は、残量なしと見做す
▲３▼  最小値が閾値以下でかつ平均値が閾値より大の場合は、要注意と見做す
▲４▼  平均値が閾値以下の場合は、残量なしと見做す
▲５▼  受信不可の場合は、電池切れと見做す
Ｓ６３  Ｓ６２  の判定結果を受けて、ＩＣタグデータ管理テーブル（割愛）の下記項目を更新する。「更新日時」欄に現在時刻、「状態」欄にＳ６２の▲１▼は’１’、▲２▼＆▲４▼は’３’、▲３▼は’２’、▲５▼は’９’を書込んで「電池残量確認処理」を終了し、元の「ＩＣタグ状況一覧画面」に戻り、「状態」欄に確認したＩＣタグの電池残量表示が下記の様に表示される。「電池○」、「電池×」（赤色表示）、「電池△」（黄色表示）
【００３１】図２２は、従来のプール監視例を示す図である。
【産業上の利用可能性】
【００３２】  従来のプール監視は、ほとんどがプール監視員の目視によるものであり、見落としや勘違いに起因する事故が多く見受けられた。このような事故を減らすために、プール監視員の数を増やす等の対策が講じられているが、人件費や管理費の増加につながり問題点が多く存在した。本発明は、プール監視員の人数を最小必要限に抑えかつ監視の質を向上させることを目的になされたものであり、民間プールおよび公共プールへの導入が大いに期待できる。
【図１】
2016126735.tif 000003
【図２】
2016126735.tif 000004
【図３】
2016126735.tif 000005
【図４】
2016126735.tif 000006
【図５】
2016126735.tif 000007
【図６】
2016126735.tif 000008
【図７】
2016126735.tif 000009
【図８】
2016126735.tif 000010
【図９】
2016126735.tif 000011
【図１０】
2016126735.tif 000012
【図１１】
2016126735.tif 000013
【図１２】
2016126735.tif 000014
【図１３】
2016126735.tif 000015
【図１４】
2016126735.tif 000016
【図１５】
2016126735.tif 000017
【図１６】
2016126735.tif 000018
【図１７】
2016126735.tif 000019
【図１８】
2016126735.tif 000020
【図１９】
2016126735.tif 000021
【図２０】
2016126735.tif 000022
【図２１】
2016126735.tif 000023
【図２２】
2016126735.tif 000024